(57)【特許請求の範囲】
【請求項１】
少なくとも３色であるｎ色のフィルタを有するカラーフィルタを備え、複数の画素のそれぞれに対応して該ｎ色のフィルタのうち１色のフィルタが形成され、反射表示を行う反射領域と透過表示を行う透過領域とが１つの画素領域に形成される液晶表示装置であって、
１つの画素領域に対応する該１色のフィルタは、該反射領域と該透過領域とで同じ構成であり、
該カラーフィルタは、Ｄ６５光源及び２°視野の条件で該ｎ色のフィルタを透過するｎ色の光をＸＹＺ表色系色度図上にｎ点の色度座標（ｘ，ｙ）として示したとき、該ｎ点を頂点とする多角形の面積で定義される色再現範囲が０．０７９以上であり、
該液晶表示装置は、透過表示を行うときのコントラスト比が１００以上であり、反射表示を行うときのコントラスト比が２０以上、５０以下であることを特徴とする液晶表示装置。
【請求項２】
前記カラーフィルタの色再現範囲が、０．１４０以下であることを特徴とする請求項１記載の液晶表示装置。
【請求項３】
請求項１記載の液晶表示装置の製造方法であって、
該製造方法は、透過領域のカラーフィルタが有するｎ色のフィルタのうちの１色のフィルタと、反射領域のカラーフィルタが有する該１色のフィルタと同じ色のフィルタとを形成する工程を含むことを特徴とする液晶表示装置の製造方法。
【発明の詳細な説明】
【技術分野】
【０００１】
本発明は、反射表示と透過表示との双方によって画像を表示する液晶表示装置及びその製造方法に関するものである。
【背景技術】
【０００２】
現在、液晶表示装置は、モニター、プロジェクタ、携帯電話、携帯情報端末（以下、「ＰＤＡ」とする）等の電子機器に幅広く利用されている。このような液晶表示装置には、反射型、透過型、反射透過型等がある。【０００３】
反射型の液晶表示装置は、液晶パネルの内部に周囲の光を導き、これを反射層で反射することによって反射表示を得る構成である。また、透過型の液晶表示装置は、液晶パネルの裏面側に設けられた光源（以下、バックライトを例に説明する）からの光を液晶パネルを介して外部に出射することによって透過表示を得る構成である。【０００４】
また、反射透過型の液晶表示装置は、夜間等のほとんど周囲の光が無い環境下では、ほとんど反射表示を認識することができないため、ほぼ透過表示のみを観察することとなり、屋内等の周囲の光が蛍光灯等の環境下（以下、「屋内環境」とする）では、周囲の光を利用した反射表示とバックライトから照射された光を利用した透過表示を観察することとなる。さらに、屋外等の周囲の光が太陽光等の環境下（以下、「屋外環境」とする）では、透過表示を認識することは困難になり、周囲の光を利用した反射表示を主に観察することになる。これにより、周囲の明るさに拘らず、表示を認識することができる。すなわち、反射透過型の液晶表示装置は、屋内外を問わず、あらゆる環境下での表示が可能であるため、携帯電話、ＰＤＡ、デジタルカメラ等のモバイル機器に多く搭載されてきている。【０００５】
このような反射透過型の液晶表示装置は、液晶パネルに、反射表示に使用される反射領域と、透過表示に使用される透過領域との２種類の表示領域が形成されている。そして、透過領域では、バックライトから照射された光が、カラーフィルタを１回だけ透過して外部に出射される。一方、反射領域では、カラーフィルタを透過した周囲の光が反射層で反射し、再びカラーフィルタを透過して外部に出射される。このように、透過領域と反射領域とでは、表示にかかる光がカラーフィルタを透過する回数が異なる。【０００６】
このような反射透過型の液晶表示装置におけるカラーフィルタの構成としては、まず第１の方式として、特許文献１及び特許文献２に従来技術として記載されているように、単純に反射領域と透過領域とに同じ色材で等しい膜厚のカラーフィルタを形成することが考えられる。しかし、この構成では、上記のように反射領域のカラーフィルタを光が２回透過するため、透過表示に適した色再現範囲を確保したカラーフィルタを用いれば反射表示が暗くなることから、さらに次のような方式が提案されている。【０００７】
第２の方式は、特許文献１に記載されているように、反射領域のカラーフィルタを透過領域と同じ色材で等しい膜厚に形成するとともに、反射領域に無着色の領域を設けることで、透過表示に適した色再現範囲のカラーフィルタを形成しても反射表示を明るくする方式である。【０００８】
第３の方式は、特許文献２に記載されているように、反射領域には反射表示に適したカラーフィルタを形成し、透過領域には透過表示に適したカラーフィルタを形成することで、透過表示に適した色再現範囲のカラーフィルタを形成するとともに反射表示を明るくする方式である。【０００９】
第４の方式は、特許文献３に記載されているように、反射領域のカラーフィルタを透過領域と同じ色材で透過領域よりも薄い膜厚に形成することで、透過表示に適した色再現範囲のカラーフィルタを形成しても反射表示を明るくする方式である。【００１０】
ここで、カラーフィルタの色再現範囲について説明する。一般的に、カラーフィルタは、複数の原色に応じた複数のフィルタ、例えば、赤色（Ｒ）、緑色（Ｇ）、青色（Ｂ）の３種のフィルタを有している。そして、液晶表示装置では、これらの原色のフィルタを透過する光量を個別に調整することによって、多数の色を表示できるようになっている。
すなわち、カラーフィルタから出射される光の色は、複数の原色の混色によって表現される。そして、ＣＩＥ（国際照明委員会）に基づくＸＹＺ表色系色度図に、カラーフィルタから出射される光の原色の色度座標（ｘ，ｙ）を示したときに得られる多角形の内部がカラーフィルタの色再現範囲である。【００１１】
尚、カラーフィルタの色再現範囲は、ＸＹＺ表色系色度図の目盛を利用して計算される上記多角形の面積で定義される。したがって、カラーフィルタの色再現範囲が狭い場合に得られる色は彩度の低い色となり、カラーフィルタの色再現範囲が広い場合には彩度が高い色まで表現できるため表示色を多様化できる。また、カラーフィルタの色再現範囲が広いほど、カラーフィルタを透過する光の量が少なくなる。
【特許文献１】特開２０００−１１１９０２（２０００年４月２１日公開）
【特許文献２】特開２００１−１８３６４６（２００１年７月６日公開）
【特許文献３】特開２００２−２９６５８２（２００２年１０月９日公開）
【発明の開示】
【発明が解決しようとする課題】
【００１２】
ところで、上記第２〜４の方式は、屋内環境では反射表示と透過表示の双方を観察することになるが、反射表示を明るくする構成を採用しているため、反射領域から出射する表示光（以下、「反射表示光」とする）は色再現範囲が狭くなっている。つまり、観察者からすれば、反射表示と透過表示の双方を観察する場合は、透過表示のみを観察する場合よりも明るい表示となっているものの、観察者が感じる液晶表示装置の色再現範囲は、透過表示のみを観察する場合より狭くなっている。これは、反射表示と透過表示の双方を観察する場合、観察者が反射表示光と透過領域から出射する表示光（以下、「透過表示光」とする）の双方を認識することになるためで、反射表示光と透過表示光の混色を液晶表示装置の色再現範囲として認識するためである。【００１３】
したがって、周囲の光がそれほど明るくない場合には、反射表示光をほとんど認識しないので、透過表示光が支配的であり、透過表示のみを観察するときと液晶表示装置の色再現範囲の違いはほとんど感じないが、周囲の光が明るくなるにつれ、次第に反射表示光を認識するようになり、透過表示のみを観察するときとは液晶表示装置の色再現範囲が異なると感じるようになるのである。【００１４】
一方、屋外環境では反射表示と透過表示の双方を観察することになるが、周囲の光の方が明るいため、透過表示光をほとんど認識できなくなるので、反射表示光が支配的となる。上記の通り反射表示光は色再現範囲が狭くなっているため、透過表示のみを観察するときとは液晶表示装置の色再現範囲が異なってしまう。【００１５】
このように、反射表示と透過表示とで、あるいは周囲の光の環境が相違することによって、液晶表示装置の色再現範囲が大きく異なってしまうという問題がある。【００１６】
ここで、液晶表示装置の色再現範囲について説明する。液晶表示装置の色再現範囲は、実際に観察者が液晶表示装置を観察したときに視認する色再現範囲である。つまり、カラーフィルタの色再現範囲と同様に、ＣＩＥに基づくＸＹＺ表色系色度図に、反射表示光または透過表示光の原色の色度座標（ｘ，ｙ）を示したときに得られる多角形の内部が液晶表示装置の色再現範囲である。【００１７】
尚、液晶表示装置の色再現範囲は、ＸＹＺ表色系色度図の目盛を利用して計算される上記多角形の面積で定義される。したがって、液晶表示装置の色再現範囲が狭い場合に得られる色は彩度の低い色となり、液晶表示装置の色再現範囲が広い場合には彩度が高い色まで表現できるため表示色を多様化できる。【００１８】
また、第１の方式は、反射領域と透過領域とにおけるカラーフィルタの色再現範囲が同じになるが、反射表示と透過表示ではカラーフィルタを光が透過する回数が異なるため、透過表示よりも反射表示の液晶表示装置の色再現範囲が広くなってしまい、換言すれば反射表示が暗くなるから、反射透過型の液晶表示装置には不適当であると考えられている。
勿論、反射表示と透過表示とで、液晶表示装置の色再現範囲は異なってしまう。【００１９】
このように、上記第１〜第４の方式では、反射表示と透過表示とで液晶表示装置の色再現範囲が相違している。そして、この色再現範囲の相違は、図形表示や文字表示等の色を重視しない表示については大きな問題にならないが、近年モバイル機器においても自然画のＴＶ映像や写真といった緻密な色映像表示を行う必要が生じてきたため、大きな障害となってきている。【００２０】
本発明は、上記のような従来の問題点に鑑みてなされたものである。そして、その目的は、反射表示と透過表示とで液晶表示装置の色再現範囲の差を小さくすることが可能な液晶表示装置及びその好適な製造方法を提供することにある。
【課題を解決するための手段】
【００２１】
上記の目的を達成するために、本発明の液晶表示装置は、少なくとも３色であるｎ色のフィルタを有するカラーフィルタを備え、反射表示と透過表示とを行う液晶表示装置において、前記カラーフィルタは、Ｄ６５光源及び２°視野の条件で前記ｎ色のフィルタを透過するｎ色の光をＸＹＺ表色系色度図上にｎ点の色度座標（ｘ，ｙ）として示したとき、前記ｎ点を頂点とする多角形の面積で定義される色再現範囲が０．０７９以上であり、反射表示と透過表示の双方で前記カラーフィルタを利用して表示を行うことを特徴としている。【００２２】
また、少なくとも３色であるｎ色のフィルタを有するカラーフィルタを備え、複数の画素のそれぞれに対応して前記ｎ色のフィルタのうち１色のフィルタが形成され、反射表示を行う反射領域と透過表示を行う透過領域とが１つの画素領域に形成される液晶表示装置において、１つの画素領域に対応する前記１色のフィルタは、前記反射領域と前記透過領域とで同じ構成であり、前記カラーフィルタは、Ｄ６５光源及び２°視野の条件で前記ｎ色のフィルタを透過するｎ色の光をＸＹＺ表色系色度図上にｎ点の色度座標（ｘ，ｙ）として示したとき、前記ｎ点を頂点とする多角形の面積で定義される色再現範囲が０．０７９以上であることを特徴としている。【００２３】
また、前記カラーフィルタの色再現範囲が、０．１４０以下であることを特徴としている。【００２４】
また、前記液晶表示装置は、透過表示を行うときのコントラスト比が１００以上であり、反射表示を行うときのコントラスト比が２０以上、５０以下であることを特徴としている。【００２５】
更に、本発明の液晶表示装置の製造方法は、前記液晶表示装置の製造方法であって、前記製造方法は、透過領域のカラーフィルタが有するｎ色のフィルタのうちの１色のフィルタと、反射領域のカラーフィルタが有する前記１色のフィルタと同じ色のフィルタとを形成する工程を含むことを特徴としている。【００２６】
本発明の液晶表示装置では、反射表示での液晶表示装置の色再現範囲を透過表示での液晶表示装置の色再現範囲で割った値（以下、「液晶表示装置の色再現範囲比」とする）を１．００に近づけることができるので、反射表示と透過表示のどちらが支配的であったとしても、観察者が液晶表示装置の色再現範囲の相違を感じることはほとんどない。
なお、前記カラーフィルタの色再現範囲の好ましい下限は、０．０９５である。
また、本発明の作用効果を効果的に得るためには、前記反射領域のカラーフィルタと前記透過領域のカラーフィルタとの色再現範囲の差は、０．００７以下であることが好ましい。【００２７】
また、本発明の液晶表示装置では、カラーフィルタが透過領域と反射領域とで同じ構成、すなわち同じ色材でほぼ等しい膜厚を有することにより、反射領域と透過領域とに異なる構成のカラーフィルタを設ける場合に比して、カラーフィルタの形成プロセスを簡略化できる。したがって、製造コストを低減することが可能となる。【００２８】
また、カラーフィルタの色再現範囲を広げ過ぎると、カラーフィルタを透過する光の量が少なくなる。このため、前記カラーフィルタの色再現範囲の上限については、０．１４０以下とすることが好ましく、より好ましい上限は、０．１３０である。【００２９】
また、本発明の作用効果をより効果的に得るために、前記液晶表示装置は、透過表示を行うときのコントラスト比が１００以上であり、反射表示を行うときのコントラスト比が２０以上、５０以下であることが好ましい。【００３０】
また、本発明の液晶表示装置の製造方法では、反射領域のフィルタと透過領域の同色のフィルタとを同じ工程で形成することが可能であるので、別々の工程で形成する場合に比して、カラーフィルタの形成プロセスを簡略化することができる。【００３１】
本発明は更に、反射表示と透過表示とを行う液晶表示装置であって、少なくとも３色であるｎ色のフィルタを有し、Ｄ６５光源及び２°視野の条件で前記ｎ色のフィルタを透過するｎ色の光をＸＹＺ表色系色度図上にｎ点の色度座標（ｘ，ｙ）として示したとき、前記ｎ点を頂点とする多角形の面積で定義される色再現範囲が０．０７９以上であり、反射表示と透過表示の双方で表示に利用されるカラーフィルタを備える液晶表示装置でもある。【００３２】
本発明の液晶表示装置では、液晶表示装置の色再現範囲比を１．００に近づけることができるので、反射表示と透過表示のどちらが支配的であったとしても、観察者が液晶表示装置の色再現範囲の相違を感じることはほとんどない。
なお、前記カラーフィルタの色再現範囲の好ましい下限は、０．０９５である。
また、本発明の作用効果を効果的に得るためには、前記反射領域のカラーフィルタと前記透過領域のカラーフィルタとの色再現範囲の差は、０．００７以下であることが好ましい。【００３３】
また、カラーフィルタの色再現範囲を広げ過ぎると、カラーフィルタを透過する光の量が少なくなる。このため、前記カラーフィルタの色再現範囲が、０．１４０以下であることが好ましく、より好ましい上限は、０．１３０である。【００３４】
更に、本発明の作用効果をより効果的に得るために、前記液晶表示装置は、透過表示を行うときのコントラスト比が１００以上であり、反射表示を行うときのコントラスト比が２０以上、５０以下であることが好ましい。
なお、例えば、コントラスト比が１００である場合と３００である場合とでは、液晶表示装置の色再現範囲は若干異なるが、その差は小さい。したがって、本発明においては、コントラスト比が１００以上である場合、液晶表示装置の色再現範囲は、一定であるとみなすことができる。また、前記カラーフィルタの色再現範囲が０．１３０であり、かつ透過表示を行うときのコントラスト比が１００以上であり、反射表示を行うときのコントラスト比が２０である場合、液晶表示装置の色再現範囲比を略０．９０にすることができ、液晶表示装置の色再現範囲比をより１．００に近づけることができる。【００３５】
本発明はそして、反射表示を行う反射領域と透過表示を行う透過領域とが１つの画素領域に形成される液晶表示装置であって、少なくとも３色であるｎ色のフィルタを有し、複数の画素のそれぞれに対応して前記ｎ色のフィルタのうち１色のフィルタが形成され、１つの画素領域に対応する前記１色のフィルタは、前記反射領域と前記透過領域とで同じ構成であり、Ｄ６５光源及び２°視野の条件で前記ｎ色のフィルタを透過するｎ色の光をＸＹＺ表色系色度図上にｎ点の色度座標（ｘ，ｙ）として示したとき、前記ｎ点を頂点とする多角形の面積で定義される色再現範囲が０．０７９以上であるカラーフィルタを備える液晶表示装置でもある。【００３６】
このような本発明の液晶表示装置でもまた、液晶表示装置の色再現範囲比を１．００に近づけることができるので、反射表示と透過表示のどちらが支配的であったとしても、観察者が液晶表示装置の色再現範囲の相違を感じることはほとんどない。更に、このような液晶表示装置では、カラーフィルタが透過領域と反射領域とで同じ構成、すなわち同じ色材でほぼ等しい膜厚を有する。これにより、反射領域と透過領域とで異なる構成のカラーフィルタを設ける場合に比して、カラーフィルタの形成プロセスを簡略化できる。したがって、製造コストを低減することが可能となる。
なお、前記カラーフィルタの色再現範囲の好ましい下限は、０．０９５である。【００３７】
また、カラーフィルタの色再現範囲を広げ過ぎると、カラーフィルタを透過する光の量が少なくなる。このため、前記カラーフィルタの色再現範囲が、０．１４０以下であることが好ましく、より好ましい上限は、０．１３０である。【００３８】
更に、本発明の作用効果をより効果的に得るために、前記液晶表示装置は、透過表示を行うときのコントラスト比が１００以上であり、反射表示を行うときのコントラスト比が２０以上、５０以下であることが好ましい。
なお、例えば、コントラスト比が１００である場合と３００である場合とでは、液晶表示装置の色再現範囲は若干異なるが、その差は小さい。したがって、本発明においては、コントラスト比が１００以上である場合、液晶表示装置の色再現範囲は、一定であるとみなすことができる。また、前記カラーフィルタの色再現範囲が０．１３０であり、かつ透過表示を行うときのコントラスト比が１００以上であり、反射表示を行うときのコントラスト比が２０である場合、液晶表示装置の色再現範囲比を略０．９０にすることができ、液晶表示装置の色再現範囲比をより１．００に近づけることができる。【００３９】
本発明は更には、透過領域のカラーフィルタが有するｎ色のフィルタのうちの１色のフィルタと、反射領域のカラーフィルタが有する前記１色のフィルタと同じ色のフィルタとを形成する工程を含む前記液晶表示装置の製造方法でもある。【００４０】
本発明の液晶表示装置の製造方法では、反射領域のフィルタと透過領域の同色のフィルタとを同じ工程で形成することが可能であるので、別々の工程で形成する場合に比して、カラーフィルタの形成プロセスを簡略化することができる。【００４１】
本発明の液晶表示装置の好ましい形態としては、バックライトと、前記バックライトよりも前面（表示側）に配置され、前記バックライトからの光を透過させる透過電極と、前記バックライトよりも前面に配置され、前面から入射した光を反射する反射電極と、前記透過電極及び前記反射電極よりも前面に配置され、前記透過電極を透過した光、前記前面から入射した光、及び、前記前面から入射した光のうち前記反射電極に反射された光を通過させ、Ｄ６５光源及び２°視野の条件でｎ色のフィルタを透過するｎ色の光をＸＹＺ表色系色度図上にｎ点の色度座標（ｘ，ｙ）として示したとき、前記ｎ点を頂点とする多角形の面積で定義される色再現範囲が０．０７９以上であるカラーフィルタとを有する形態（以下、「第１形態」とする）が挙げられる。前記第１形態は、前記カラーフィルタの色再現範囲が０．０７９以上であるため、液晶表示装置の色再現範囲比を１．００に近づけることができる。
なお、前記第１形態において、前記カラーフィルタは、透過表示で用いる部分と反射表示で用いる部分とが互いに異なる構成を有してもよい。【００４２】
また、本発明の液晶表示装置の好ましい他の形態としては、バックライトと、前記バックライトよりも前面（表示側）に配置され、前記バックライトからの光を通過させ、前面から入射した光を反射する半透過膜と、前記半透過膜よりも前面に配置され、前記半透過膜を透過した光、前記前面から入射した光、及び、前記前面から入射した光のうち前記半透過膜に反射された光を通過させ、Ｄ６５光源及び２°視野の条件でｎ色のフィルタを透過するｎ色の光をＸＹＺ表色系色度図上にｎ点の色度座標（ｘ，ｙ）として示したとき、前記ｎ点を頂点とする多角形の面積で定義される色再現範囲が０．０７９以上であるカラーフィルタとを有する形態（以下、「第２形態」とする）が挙げられる。前記第２形態では、前記カラーフィルタの色再現範囲が０．０７９以上であるため、液晶表示装置の色再現範囲比を１．００に近づけることができる。
【発明の効果】
【００４３】
以上のように、本発明は、反射表示での液晶表示装置の色再現範囲を透過表示での液晶表示装置の色再現範囲に近づけることが可能となる。これにより、本発明の液晶表示装置では、周囲の光の環境がどのような状況であったとしても、ほぼ同じ色再現範囲の表示を行うことができる。また、このような液晶表示装置を簡便な製造方法によって安価に得ることができる。
【発明を実施するための最良の形態】
【００４４】
本発明の一実施形態について説明する。本実施の形態にかかる液晶表示装置は、反射表示と透過表示とを行う液晶表示装置である。【００４５】
まず、液晶表示装置の構成について説明する。図１は、本実施の形態にかかる液晶表示装置の概略構成を示す断面図である。【００４６】
図１に示すように、液晶表示装置は、対向基板１１と画素基板１２との間に、液晶層１３を挟んだ構成を有している。また、１つの画素領域は、図１に示す反射領域ａと透過領域ｂとを組み合わせた部分である。ここで、反射領域ａは、反射表示に使用される画素領域であり、透過領域ｂは、透過表示に使用される画素領域である。【００４７】
図１に示すように、対向基板１１は、ガラス基板２１の外側に位相差板２２、偏光板２３を備え、また、ガラス基板２１の内側にカラーフィルタ２４を備えた構成である。位相差板２２は、自身を透過する光の偏光状態を調整するものである。位相差板２２としては、偏光板２３とともに用いることで反射表示のコントラスト比を向上させるものが好ましく、例えば、λ／４位相差板、λ／４位相差板とλ／２位相差板とがλ／２位相差板を偏光板２３側にして積層されたもの等が挙げられる。偏光板２３は、特定の偏光成分の光だけを透過させるものである。【００４８】
カラーフィルタ２４は、自身を透過する光の色を選択するものである。すなわち、カラーフィルタ２４は、上記した１つの画素領域に対応して赤色（Ｒ）フィルタ、緑色（Ｇ）フィルタ、青色（Ｂ）フィルタのうちいずれか１色のフィルタが形成され、複数形成された画素のそれぞれにいずれか１色のフィルタが形成されている。そして、各Ｒ、Ｇ、Ｂフィルタは、それぞれ入射光の赤色成分、緑色成分、青色成分を主として透過させるようになっている。【００４９】
また、カラーフィルタ２４は、反射領域ａ及び透過領域ｂの双方において、同じ色材で膜厚もほぼ等しく形成されている。つまり、１つの画素領域において、反射領域ａと透過領域ｂとでフィルタが同じ構成となっている。【００５０】
本発明において、フィルタが「同じ構成」とは、反射領域ａと透過領域ｂとに形成されるフィルタが、同じ色材で形成された、すなわち同じ染料や顔料等で着色されたフィルタであって、ほぼ等しい膜厚を有するものである。ここで、「ほぼ等しい膜厚」は、通常の製造過程で生じる所謂ばらつきの範囲内にあることを意味し、積極的に膜厚を異ならせていないことを意味している。【００５１】
また、必要に応じて、カラーフィルタ２４の各フィルタ間には、遮光膜２５を設けてもよい。尚、この場合、遮光膜２５の影響で、カラーフィルタ２４を均一な厚さに形成し難くなるが、実質的には無視できる程度である。【００５２】
一方、画素基板１２は、ガラス基板３１の外側に位相差板３２、偏光板３３を備え、また、ガラス基板３１の内側に、樹脂膜３６、反射電極３４及び透明電極３５を備えた構成である。位相差板３２は、位相差板２２と同様に、自身を透過する光の偏光状態を調整するものである。位相差板３２としては、偏光板３３とともに用いることで反射表示のコントラスト比を向上させるものが好ましく、例えば、λ／４位相差板、λ／４位相差板とλ／２位相差板とがλ／２位相差板を偏光板３３側にして積層されたもの等が挙げられる。偏光板３３は、偏光板２３と同様に、特定の偏光成分の光だけを透過させるものである。【００５３】
反射層として機能する反射電極３４は、光反射機能を有する電極であり、Ａｌ、Ａｇ、これらの合金等の金属から構成される。また、透明電極３５は、ＩＴＯ、ＩＺＯ等の透明な導電材料からなる電極である。【００５４】
樹脂膜３６は、反射領域ａにおける反射電極３４の下層に配され、この樹脂膜３６により、反射領域ａに対応する液晶層１３と透過領域ｂに対応する液晶層１３との厚み（以下、「セルギャップ」とする）を変えている。【００５５】
また、画素基板１２の液晶層１３とは反対側には、バックライト１４を備えている。バックライト１４は、透過表示において利用される光源である。【００５６】
位相差板２２及び偏光板２３は、ガラス基板２１の液晶層１３側に配置されても構わない。同様に、位相差板３２及び偏光板３３は、ガラス基板３１の液晶層１３側に配置されても構わない。また、位相差板２２、３２及び偏光板２３、３３は、貼り付けられたものだけではなく、塗布することによって形成されたものでも構わない。【００５７】
また、反射電極３４を電極としての機能を有しない単なる反射層とし、電極を別途形成しても構わない。この場合、反射層はガラス基板３１に対し、液晶層１３とは反対側に設けても構わない。また、反射層または反射電極３４は、表面を凹凸状等にして光散乱性を持たせても良いし、鏡面としても良い。鏡面にする場合には、別途光散乱層を設けることが好ましい。この光散乱層は、反射層または反射電極３４が持つ光散乱性と合わせて用いても構わない。【００５８】
また、樹脂膜３６を形成せずに、反射領域ａと透過領域ｂとのセルギャップを等しくしても構わない。そして、液晶層１３は、正の誘電率異方性を示す液晶材料であっても良いし、負の誘電率異方性を示す液晶材料であっても良く、その配向方法もマルチドメインや配向分割等であっても良く、特に限定されるものではない。【００５９】
また、遮光膜２５は、樹脂材料で形成されたものだけでなく、無機材料で形成されたものでも良く、この両者を組み合わせて形成しても良い。【００６０】
また、本実施の形態では、バックライト１４としてＣＣＦＴ（冷陰極蛍光管）を用いたが、ＨＣＦＴ（熱陰極蛍光管）、白色ＬＥＤ（発光ダイオード）または複数色のＬＥＤ等を用いても構わない。【００６１】
次に、カラーフィルタの色再現範囲について説明する。カラーフィルタの色再現範囲については、既に説明した通りであり、ＣＩＥに基づくＸＹＺ表色系色度図に、カラーフィルタから出射される光の原色、すなわちカラーフィルタを構成する各色のフィルタを透過する光の色度座標（ｘ，ｙ）を示したときに得られる多角形の内部であって、ＸＹＺ表色系色度図の目盛を利用して計算される上記多角形の面積で定義されるものである。【００６２】
本発明においては、カラーフィルタの色再現範囲は、Ｄ６５光源及び２°視野の条件での各色のフィルタを透過する光の色度座標（ｘ，ｙ）をＣＩＥに基づくＸＹＺ表色系色度図に示したときに得られる多角形の面積で定義される。また、Ｄ６５光源及び２°視野の条件での各色のフィルタを透過する光の色度座標（ｘ，ｙ）は、フィルタ単体またはガラス基板にフィルタが形成されている状態で、各色のフィルタをその面の法線方向に透過する光の色度座標（ｘ，ｙ）から算出される。
なお、フィルタをその面の法線方向に透過する光の色度座標（ｘ，ｙ）は、図２に示すように、ガラス基板４０上にフィルタ４１が形成されたものをバックライト１４ａ上に配置し、バックライト１４ａを点灯させた状態で、受光器５１を用いて測定される。このとき、光源はバックライト１４ａに限定されるものではなく、全可視光領域（３８０ｎｍ〜７８０ｎｍ）の光が照射されていればよく、ハロゲンランプやキセノンランプ等でもよい。更に、各色のフィルタは、それぞれ複数の微細なパターンとして形成されている。したがって、受光器５１として顕微分光装置等を用いて、１回あたりの測定範囲がひとつのパターン内に収まるように測定する。本実施の形態においては、この測定範囲を３０μｍφとした。【００６３】
このとき、ガラス基板４０とフィルタ４１との間に下地膜や保護膜のような薄膜が形成されている状態であってもよいし、フィルタ４１上に保護膜が形成されている状態であってもよい。これらのガラス基板４０、下地膜、及び保護膜は、ほぼ無色透明であり、色度座標（ｘ，ｙ）への影響は、大きく見積もっても小数点以下第３位の数値が１変わる程度であるから、無視できるレベルである。【００６４】
また、液晶表示装置の色再現範囲は、上述したように、ＣＩＥに基づくＸＹＺ表色系色度図に、液晶表示装置から出射される各原色の光の色度座標（ｘ，ｙ）を示したときに得られる多角形の内部であって、ＸＹＺ表色系色度図の目盛を利用して計算される上記多角形の面積で定義されるものである。【００６５】
本発明においては、液晶表示装置の色再現範囲は、バックライト光源を用いた受光角２°の測定条件での液晶表示装置から出射される各原色の光の色度座標（ｘ，ｙ）をＣＩＥに基づくＸＹＺ表色系色度図に示したときに得られる多角形の面積で定義される。また、バックライト光源を用いた受光角２°の測定条件での液晶表示装置から出射される各原色の光の色度座標（ｘ，ｙ）は、液晶表示装置からその表示面の法線方向に出射される各原色の光の色度座標（ｘ，ｙ）から算出される。【００６６】
なお、透過表示での液晶表示装置からその表示面の法線方向に出射される各原色の光の色度座標（ｘ，y）は、図３に示すように、液晶表示装置５０をバックライト１４ａ上に配置し、バックライト１４ａを点灯させた状態で、受光器５１を用いて、暗室にて測定される。
なお、本実施の形態においては、受光器５１として、トプコン社製の分光放射計ＳＲ−３（商品名）を用いた。【００６７】
また、反射表示での液晶表示装置からその表示面の法線方向に出射される各原色の光の色度座標（ｘ，y）は、図４に示すように、液晶表示装置５０をバックライト１４ｂ上に配置し、バックライト１４ｂを点灯させず、かつ拡散照射ユニット５２を点灯させた状態で、受光器５１を用いて、測定される。
なお、本実施の形態においては、受光器５１及び拡散照射ユニット５２を備える装置として、大塚電子社製のＬＣＤ５２００（商品名）を用いた。【００６８】
ここで、カラーフィルタを光が１回透過したときと２回透過したときの色再現範囲について検討する。透過表示と反射表示との双方を行う液晶表示装置では、例えば、１つの画素領域に反射領域と透過領域とを備えた構成となっている。このような構成では、観察者が見る光は、バックライトを光源とした透過表示光と周囲の光を光源とした反射表示光とが混色された光である。そして、反射表示光はカラーフィルタを２回透過したものであり、透過表示光はカラーフィルタを１回だけ透過したものである。【００６９】
このため、反射表示に対応したカラーフィルタの色再現範囲（以下、「反射フィルタ色範囲」とする）は、カラーフィルタに光を２回透過させて得られるものである。一方、透過表示に対応したカラーフィルタの色再現範囲（以下、「透過フィルタ色範囲」とする）は、カラーフィルタに光を１回だけ透過させて得られるものであるから、上記のカラーフィルタの色再現範囲と同じである。【００７０】
したがって、反射表示と透過表示の液晶表示装置の色再現範囲を等しくするには、反射フィルタ色範囲と透過フィルタ色範囲とを等しくすることが考えられる。ただし、反射フィルタ色範囲は、カラーフィルタに光を２回透過させて得られるものであるから、カラーフィルタの色再現範囲よりも広くなる。よって、反射フィルタ色範囲と透過フィルタ色範囲とを等しくするためには、反射領域と透過領域とで、カラーフィルタの色材や膜厚を変えることが考えられる。【００７１】
しかしながら、液晶表示装置の色再現範囲は、カラーフィルタの色再現範囲だけでなく、光シャッターとしての液晶パネルの性能であるコントラスト比にも依存する。そして、液晶表示装置の色再現範囲は、コントラスト比が１００以上であれば、カラーフィルタの色再現範囲とほぼ等しくなる。一方、コントラスト比が１００より小さくなると、液晶表示装置の色再現範囲は、カラーフィルタの色再現範囲に対して狭くなる。【００７２】
液晶表示装置の色再現範囲がカラーフィルタの色再現範囲よりも狭くなる理由は、次の通りである。【００７３】
まず、コントラスト比が小さくなるのは、黒表示において光漏れが生じているからである。このことは、例えばＲフィルタのみから光を透過させようとしても、他のフィルタから光漏れが生じるのと同じことである。この場合には、液晶表示装置の色再現範囲において赤色の彩度が低くなり、カラーフィルタの色再現範囲よりも狭くなる。このことは、当然ながら他の色のフィルタについても生じる。【００７４】
また、コントラスト比が小さくなるのは、周囲の光が液晶パネルの表面や内部で不要な反射をするからである。これにより、例えばＲフィルタのみから光を透過させていても、不要な反射光との混色を観察することになる。この場合にも、液晶表示装置の色再現範囲において赤色の彩度が低くなり、カラーフィルタの色再現範囲よりも狭くなる。このことは、当然ながら他の色のフィルタについても生じる。【００７５】
したがって、反射フィルタ色範囲と透過フィルタ色範囲とが等しくても、反射表示と透過表示とでコントラスト比が異なる場合、反射表示と透過表示とでは液晶表示装置の色再現範囲は異なってしまう。【００７６】
そして、透過表示でのコントラスト比は、通常１００〜２００であり、反射表示でのコントラスト比は、偏光板を用いる液晶表示装置の場合、通常２０〜５０程度である。したがって、透過表示での液晶表示装置の色再現範囲は、透過フィルタ色範囲とほぼ等しくなるが、反射表示での液晶表示装置の色再現範囲は、反射フィルタ色範囲よりも狭くなる。【００７７】
このように、反射領域と透過領域のカラーフィルタを別々に設計して反射フィルタ色範囲と透過フィルタ色範囲とを等しくしても、つまり反射領域と透過領域とでカラーフィルタを光が透過する回数が相違することを考慮してカラーフィルタを設計しても、コントラスト比の違いによって、反射表示と透過表示とで液晶表示装置の色再現範囲が異なってしまうこととなる。【００７８】
ここで、コントラスト比について、さらに詳述する。コントラスト比は、周囲の光により変化する。特に透過表示に関しては、屋内環境でのコントラスト比が１０００であっても、屋外環境では、ほとんどの場合１０以下に激減する。【００７９】
これは、液晶表示装置での不要な反射が原因である。この不要な反射とは、液晶表示装置の表面での反射及び液晶表示装置の内部反射である。表面での反射は、表面と空気との界面で発生する界面反射である。また、内部反射とは、液晶表示装置を構成している屈折率の異なる各層間での界面反射である。【００８０】
さらに、液晶パネルの光シャッターの機能が十分でない場合には、黒表示時に光漏れを生じ、このこともコントラスト比を低下させる原因となる。尚、現在の透過表示の光シャッター機能は十分に高いため、黒表示時の光漏れについては無視できる。一方、反射表示では、この光漏れを無視することはできない。【００８１】
これは、反射表示の光源となる周囲の光は、特殊な場合を除き、あらゆる方向から入射される拡散光であるからである。すなわち、あらゆる方向から入射した周囲の光は、液晶層をさまざまな光路で、かつ、さまざまな偏光状態で透過し、遮光しきれずに観察者に到達する。したがって、反射表示でのコントラスト比は、透過表示でのそれよりも低くなり、１０〜５０程度、偏光板を利用した場合で２０〜５０程度となる。【００８２】
以上の点を考慮し、本実施の形態にかかる液晶表示装置では、反射表示と透過表示の液晶表示装置の色再現範囲をほぼ等しくするように、カラーフィルタ２４の色再現範囲を設計している。具体的には、カラーフィルタ２４として、反射領域ａと透過領域ｂとで同じ構成で色再現範囲が０．０７９以上のものを用いる。
尚、色再現範囲０．０７９以上は、ＮＴＳＣ比で言えば５０％以上に相当する。【００８３】
ここで、ＮＴＳＣ比とは、ＣＩＥに基づくＸＹＺ表色系色度図上で色再現範囲を示す多角形の面積の比率であり、基準となる多角形の面積は、Ｒ（ｘ＝０．６７０，ｙ＝０．３３０）、Ｇ（ｘ＝０．２１０，ｙ＝０．７１０）、Ｂ（ｘ＝０．１４０，ｙ＝０．０８０）を頂点とする三角形の面積で定義される。そして、基準となる多角形に対する対象となる多角形の面積比が、ＮＴＳＣ比である。【００８４】
また、本実施の形態では、カラーフィルタが、Ｒ、Ｇ、Ｂの３色のフィルタを有している。このため、本実施の形態にかかるカラーフィルタの色再現範囲及び液晶表示装置の色再現範囲は、図６等に示すように、ＸＹＺ表色系色度図上でＲ、Ｇ、Ｂの色度座標（ｘ，ｙ）を頂点とする三角形の面積によって表される。【００８５】
本発明においては、カラーフィルタに、例えば、黄色、シアン、マゼンタの３色のフィルタを用いてもよい。また、カラーフィルタに、４色以上のフィルタを備えるようにしてもよい。この場合、カラーフィルタの色再現範囲及び液晶表示装置の色再現範囲は、フィルタの色数に応じた多角形の面積によって表される。【００８６】
尚、本実施の形態に示すカラーフィルタの色再現範囲や液晶表示装置の色再現範囲比の好ましい範囲等については、どのような色や色数のフィルタを用いる場合でも、Ｒ、Ｇ、Ｂの３色のフィルタを用いる場合と同様に有効である。【００８７】
（実施形態１）
図１に示す液晶表示装置において、カラーフィルタ２４として、その色再現範囲が０．１１４（ＮＴＳＣ比７２％）のものを用いる。カラーフィルタ２４の色再現範囲は、上述したようにＤ６５光源及び２°視野の条件で測定したものである。このときの反射フィルタ色範囲は、カラーフィルタ２４を光が２回透過するため、０．１４５（ＮＴＳＣ比９１％）となる。【００８８】
尚、同じフィルタを２回光が透過するということは、光学濃度が２倍になることと等しく、色材の濃度を２倍にするか、フィルタの厚さを２倍にすることと同じである。したがって、反射フィルタ色範囲は、実際に測定しなくても、各色のフィルタの分光透過率（各波長に対する透過率）から、Ｌａｍｂｅｒｔ−Ｂｅｅｒ則を利用して光がフィルタを２回透過したときの分光透過率を求め、当業者によく知られた三刺激値（ＣＩＥに基づくＸＹＺ表色系におけるＸＹＺ）の計算方法及び色度座標（ＣＩＥに基づくＸＹＺ表色系色度図）の計算方法を利用して求めることができる。【００８９】
図５は、反射表示でのコントラスト比と、反射表示での液晶表示装置の色再現範囲との関係を示すグラフである。図５に示すように、反射表示における液晶表示装置の色再現範囲は、コントラスト比の低下に伴い、反射フィルタ色範囲である０．１４５（ＮＴＳＣ比９１％）よりも狭くなる。【００９０】
尚、コントラスト比が変化した際の液晶表示装置の色再現範囲は、次のような方法によって算出することができる。【００９１】
まず、カラーフィルタの三刺激値（ＣＩＥに基づくＸＹＺ表色系におけるＸＹＺ）を求める。カラーフィルタの三刺激値（ＸＣＦ、ＹＣＦ、ＺＣＦ）は、例えばＲのフィルタの場合、その分光透過率から、上記三刺激値の計算方法を利用して三刺激値（ＸＲＣＦ、ＹＲＣＦ、ＺＲＣＦ）を求めることができる。同様に、Ｇ、Ｂのフィルタについても、その分光透過率から、三刺激値（ＸＧＣＦ、ＹＧＣＦ、ＺＧＣＦ）、（ＸＢＣＦ、ＹＢＣＦ、ＺＢＣＦ）を求めることができる。ちなみに、これらＲＧＢの三刺激値から、上記色度座標の計算方法を利用して、Ｒ、Ｇ、Ｂそれぞれの色度座標（ｘ，ｙ）を求めることができる。【００９２】
次に、液晶表示装置の三刺激値（ＣＩＥに基づくＸＹＺ表色系におけるＸＹＺ）を求める。液晶表示装置の三刺激値（ＸＬＣ、ＹＬＣ、ＺＬＣ）は、例えばＲの画素の場合、Ｇ、Ｂの画素の光漏れを考慮して計算する。尚、カラーフィルタが無い状態での液晶表示装置が最も高い透過率を示す状態（階調表示のうち最も高い透過率を示す階調）での透過率（反射表示の場合には反射率）をＴＷ、最も低い透過率を示す状態（階調表示のうち最も低い透過率を示す階調）での透過率（反射表示の場合には反射率）をＴＢＫとする。このときのコントラスト比はＴＷ／ＴＢＫで表すことができる。【００９３】
そして、液晶表示装置のＲの表示における三刺激値（ＸＲＬＣ、ＹＲＬＣ、ＺＲＬＣ）は、
ＸＲＬＣ＝（ＴＷ×ＸＲＣＦ）＋（ＴＢＫ×ＸＧＣＦ）＋（ＴＢＫ×ＸＢＣＦ）
ＹＲＬＣ＝（ＴＷ×ＹＲＣＦ）＋（ＴＢＫ×ＹＧＣＦ）＋（ＴＢＫ×ＹＢＣＦ）
ＺＲＬＣ＝（ＴＷ×ＺＲＣＦ）＋（ＴＢＫ×ＺＧＣＦ）＋（ＴＢＫ×ＺＢＣＦ）
という計算式によって求めることができる。同様に、Ｇの画素の場合、Ｒ、Ｂの画素の光漏れを考慮し、Ｂの画素の場合、Ｒ、Ｇの画素の光漏れを考慮して求めることができる。
さらに、これらの三刺激値から、上記色度座標の計算方法を利用して、Ｒ、Ｇ、Ｂそれぞれの色度座標（ｘ，ｙ）を求めることができる。【００９４】
また、図５中の破線は、コントラスト比が１００以上の透過表示における液晶表示装置の色再現範囲である０．１１４（ＮＴＳＣ比７２％）を示す。ここで、透過表示での液晶表示装置の色再現範囲がカラーフィルタの色再現範囲（０．１１４）と等しくなっているが、これはＤ６５光源とバックライト１４との分光特性の違いによる影響を考慮していないからではなく、これを考慮しても小数点以下第４位以下が影響を受ける程度であるから、本願明細書に記載した有効数字には入らないだけである。【００９５】
図５に示すように、コントラスト比が３０のときの反射表示での液晶表示装置の色再現範囲は、０．１１６（ＮＴＳＣ比７３％）であり、透過表示での液晶表示装置の色再現範囲は、上記の通り０．１１４（ＮＴＳＣ比７２％）であるから、液晶表示装置の色再現範囲比は１．０２となり、両者の差は小さい。【００９６】
このときの液晶表示装置の色再現範囲をＸＹＺ表色系色度図上に示す説明図が図６である。図６において、コントラスト比が３０の場合における反射表示での液晶表示装置の色再現範囲を実線で、コントラスト比が１００以上の場合における透過表示での液晶表示装置の色再現範囲を破線で示す。図６に示すように、両色再現範囲は、ほとんど同じ範囲で、ほぼ同一の広さを有する三角形となっている。【００９７】
また、図５に示すように、コントラスト比が２０のときの反射表示での液晶表示装置の色再現範囲は、０．１０５（ＮＴＳＣ比６６％）であり、コントラスト比が５０のときの反射表示での液晶表示装置の色再現範囲は、０．１２７（ＮＴＳＣ比８０％）である。そして、透過表示での液晶表示装置の色再現範囲は、上記の通り０．１１４（ＮＴＳＣ比７２％）であるから、コントラスト比が２０〜５０のときの液晶表示装置の色再現範囲比は０．９２〜１．１１となる。【００９８】
尚、液晶表示装置の色再現範囲比が０．７０〜１．３０（１±０．３０）である場合、両者の差は実用上問題のない程度に小さいといえる。【００９９】
（比較例１）
図１に示す液晶表示装置において、カラーフィルタ２４として、その色再現範囲が０．０４７（ＮＴＳＣ比３０％）のものを用いる。カラーフィルタ２４の色再現範囲は、上述したようにＤ６５光源及び２°視野の条件で測定したものである。このときの反射フィルタ色範囲は、カラーフィルタ２４を光が２回透過するため、０．０９０（ＮＴＳＣ比５７％）となる。【０１００】
このカラーフィルタは、本願明細書に従来技術として記載した第１の方式に相当するものである。尚、第１の方式においては、ＮＴＳＣ比３０〜４０％のカラーフィルタが用いられることが一般的であり、ＮＴＳＣ比は高くてもせいぜい４５％程度である。【０１０１】
図７は、反射表示でのコントラスト比と、反射表示での液晶表示装置の色再現範囲との関係を示すグラフである。図７に示すように、反射表示における液晶表示装置の色再現範囲は、コントラスト比の低下に伴い、反射フィルタ色範囲である０．０９０（ＮＴＳＣ比５７％）よりも狭くなる。【０１０２】
また、図７中の破線は、コントラスト比が１００以上の透過表示における液晶表示装置の色再現範囲である０．０４８（ＮＴＳＣ比３０％）を示す。ここで、透過表示での液晶表示装置の色再現範囲がカラーフィルタの色再現範囲（０．０４７（ＮＴＳＣ比３０％））よりもわずかに広くなっているが、これは、Ｄ６５光源とバックライト１４との分光特性の違いにより生じるものである。【０１０３】
図７において、コントラスト比が２０〜５０の場合、反射表示での液晶表示装置の色再現範囲は、０．０６６（ＮＴＳＣ比４２％）〜０．０８０（ＮＴＳＣ比５０％）となる。
したがって、液晶表示装置の色再現範囲比は１．３８〜１．６７となり、両者に大きな差が発生する。【０１０４】
また、図８は、液晶表示装置の色再現範囲をＸＹＺ表色系色度図上に示す説明図である。
図８において、コントラスト比が３０の場合における反射表示での液晶表示装置の色再現範囲を実線で、コントラスト比が１００以上の場合における透過表示での液晶表示装置の色再現範囲を破線で示す。【０１０５】
図８に示すように、反射表示での液晶表示装置の色再現範囲は、透過表示での液晶表示装置の色再現範囲に比べて、明らかに大きい三角形となっている。このときの反射表示での色再現範囲は０．０７３（ＮＴＳＣ比４６％）であり、液晶表示装置の色再現範囲比は１．５２となる。【０１０６】
（実施形態２）
図１に示す液晶表示装置において、カラーフィルタ２４として、その色再現範囲が０．０７９（ＮＴＳＣ比５０％）のものを用いる。カラーフィルタ２４の色再現範囲は、上述したようにＤ６５光源及び２°視野の条件で測定したものである。このときの反射フィルタ色範囲は、カラーフィルタ２４を光が２回透過するため、０．１１９（ＮＴＳＣ比７５％）となる。【０１０７】
図９は、反射表示でのコントラスト比と、反射表示での液晶表示装置の色再現範囲との関係を示すグラフである。図９に示すように、反射表示における液晶表示装置の色再現範囲は、コントラスト比の低下に伴い、反射フィルタ色範囲である０．１１９（ＮＴＳＣ比７５％）よりも狭くなる。【０１０８】
また、図９中の破線は、コントラスト比が１００以上の透過表示における液晶表示装置の色再現範囲である０．０８０（ＮＴＳＣ比５０％）を示す。ここで、透過表示での液晶表示装置の色再現範囲がカラーフィルタの色再現範囲（０．０７９（ＮＴＳＣ比５０％））よりもわずかに広くなっているが、これは、Ｄ６５光源とバックライト１４との分光特性の違いにより生じるものである。【０１０９】
図９に示すように、コントラスト比が２０〜５０の場合、反射表示での液晶表示装置の色再現範囲は、０．０８６（ＮＴＳＣ比５５％）〜０．１０４（ＮＴＳＣ比６６％）となる。したがって、液晶表示装置の色再現範囲比は１．０８〜１．３０となり、両者の差は
実用上問題のない程度に小さいといえる。【０１１０】
また、図１０は、液晶表示装置の色再現範囲をＸＹＺ表色系色度図上に示す説明図である。図１０において、コントラスト比が３０の場合における反射表示での液晶表示装置の色再現範囲を実線で、コントラスト比が１００以上の場合における透過表示での液晶表示装置の色再現範囲を破線で示す。【０１１１】
図１０に示すように、両色再現範囲は、ほとんど同じ範囲で、ほぼ同一の広さを有する三角形となっている。このときの反射表示での色再現範囲は０．０９６（ＮＴＳＣ比６１％）であり、液晶表示装置の色再現範囲比は１．２０となる。【０１１２】
このように、反射表示でのコントラスト比が２０〜５０である場合、カラーフィルタの色再現範囲を０．０７９（ＮＴＳＣ比５０％）以上とすることにより、液晶表示装置の色再現範囲比を小さくできる。【０１１３】
（実施形態３）
図１に示す液晶表示装置において、カラーフィルタ２４として、その色再現範囲が０．０９５（ＮＴＳＣ比６０％）のものを用いる。カラーフィルタ２４の色再現範囲は、上述したようにＤ６５光源及び２°視野の条件で測定したものである。このときの反射フィルタ
色範囲は、カラーフィルタ２４を光が２回透過するため、０．１３０（ＮＴＳＣ比８２％）となる。【０１１４】
図１１は、反射表示でのコントラスト比と、反射表示での液晶表示装置の色再現範囲との関係を示すグラフである。図１１に示すように、反射表示における液晶表示装置の色再現範囲は、コントラスト比の低下に伴い、反射フィルタ色範囲である０．１３０（ＮＴＳＣ比８２％）よりも狭くなる。【０１１５】
また、図１１中の破線は、コントラスト比が１００以上の透過表示における液晶表示装置の色再現範囲である０．０９５（ＮＴＳＣ比６０％）を示す。ここで、透過表示での液晶表示装置の色再現範囲がカラーフィルタの色再現範囲（０．０９５）と等しくなっているが、これはＤ６５光源とバックライト１４との分光特性の違いによる影響を考慮していないからではなく、これを考慮しても小数点以下第４位以下が影響を受ける程度であるから、本願明細書に記載した有効数字には入らないだけである。【０１１６】
図１１に示すように、コントラスト比が２０〜５０の場合、反射表示での液晶表示装置の色再現範囲は、０．０９５（ＮＴＳＣ比６０％）〜０．１１４（ＮＴＳＣ比７２％）となる。したがって、液晶表示装置の色再現範囲比は１．００〜１．２０となり、両者の差は実用上問題のない程度に小さいといえる。【０１１７】
また、図１２は、液晶表示装置の色再現範囲をＸＹＺ表色系色度図上に示す説明図である。図１２において、コントラスト比が３０の場合における反射表示での液晶表示装置の色再現範囲を実線で、コントラスト比が１００以上の場合における透過表示での液晶表示装置の色再現範囲を破線で示す。【０１１８】
図１２に示すように、両色再現範囲は、ほとんど同じ範囲で、ほぼ同一の広さを有する三角形となっている。このときの反射表示での色再現範囲は０．１０５（ＮＴＳＣ比６７％）であり、液晶表示装置の色再現範囲比は１．１１となる。【０１１９】
以上の実施形態１〜３を総括し、以下にさらに説明を行う。【０１２０】
図１３は、カラーフィルタの色再現範囲と液晶表示装置の色再現範囲比との関係を示すグラフである。図１３において、実線は、反射表示でのコントラスト比が５０であり、かつ透過表示でのコントラスト比が１００以上である場合の液晶表示装置の色再現範囲比である。一方、破線は、反射表示でのコントラスト比が２０であり、かつ透過表示でのコントラスト比が１００以上である場合の液晶表示装置の色再現範囲比である。【０１２１】
図１３に示すように、反射表示でのコントラスト比が２０〜５０であり、かつ透過表示でのコントラスト比が１００以上であるとき、カラーフィルタの色再現範囲を０．０７９（図１３に一点鎖線で示す）以上とした場合に、液晶表示装置の色再現範囲比を１．００に近づけることができる。また、カラーフィルタの色再現範囲が０．０７９未満になると、急激に液晶表示装置の色再現範囲比が大きくなる。したがって、カラーフィルタの色再現範囲を０．０７９以上にすれば、周囲の光の環境がどのような状況であったとしても、反射表示と透過表示とでほぼ同じ色再現範囲の表示を行うことができる。【０１２２】
また、カラーフィルタの色再現範囲を広げ過ぎると、カラーフィルタにおける光の透過率が小さくなる。このため、表示の明るさが低下して、実用上問題がある。したがって、カラーフィルタの色再現範囲の上限については、カラーフィルタのＹ値（ＣＩＥに基づくＸＹＺ表色系におけるＹ）を２０％以上とすることが可能な０．１４０（図１３に一点鎖線で示す）以下とすることが好ましい。【０１２３】
尚、ここで言うカラーフィルタのＹ値とは、例えばＲ、Ｇ、Ｂの３色のフィルタで構成されるカラーフィルタであれば、各色それぞれのＹ値の平均値を意味する。したがって、いずれか１色または２色のフィルタのＹ値が２０％未満となる場合であっても、３色のフィルタのＹ値の平均値が２０％以上であれば、実用上問題となることはない。また、４色以上のフィルタで構成されるカラーフィルタであっても同様である。【０１２４】
また、本実施の形態では、反射領域ａと透過領域ｂとに、同じ構成のカラーフィルタ２４を使用している。これにより、両領域ａ・ｂに異なる構成のカラーフィルタを設ける場合に比して、カラーフィルタの形成プロセスを簡略化できるので、製造コストを低くすることができる。【０１２５】
このような場合、反射フィルタ色範囲は、カラーフィルタの色再現範囲に比して必然的に広くなる。そして、上記したように、反射表示でのコントラスト比は、屋内環境での透過表示に比べて小さくなる。そこで、反射表示でのコントラスト比の低下を考慮し、カラーフィルタの色再現範囲を０．０７９以上にすることで、反射表示と透過表示の液晶表示装置の色再現範囲を近づけることが可能となる。【０１２６】
また、反射領域ａと透過領域ｂとに同じ構成のカラーフィルタ２４を使用することで、１つの画素領域が反射領域と透過領域とに分割されていない半透過膜を利用した半透過型の液晶表示装置にも適用できる。半透過膜としては、ハーフミラーや反射率の高い金属を極めて薄く成膜したもの等が知られている。なお、半透過膜は、金属等の導電材料で形成される場合、電極として用いられてもよい。また、半透過膜は、透明電極を液晶層側にして、あるいは半透過膜を液晶層側にして、透明電極と積層されてもよい。透明電極を液晶層側にして積層する場合、半透過膜と透明電極との間に、絶縁膜等の他の層を設けてもよい。このような半透過型の液晶表示装置においても、従来は反射表示の明るさを重視して、比較例１のような構成のカラーフィルタを用いていた。【０１２７】
尚、本実施の形態では、反射領域ａと透過領域ｂとに、同じ構成のカラーフィルタ２４を使用したが、反射領域ａおよび透過領域ｂのカラーフィルタの色再現範囲が０．０７９以上で、かつ、上記の説明のように液晶表示装置の色再現範囲比を０．７０〜１．３０にできる範囲内であれば、反射領域ａと透過領域ｂとのカラーフィルタの構成を異ならせても構わない。【０１２８】
以上に述べてきたように、本発明によれば、従来では反射表示が暗くて不適当と考えられていたカラーフィルタの構成よりも、さらに色再現範囲が広いものを用いることにより、反射表示と透過表示の液晶表示装置の色再現範囲を近づけることができる。これは、反射表示においては、明るさを確保しなければ観察者が表示を認識し難い、と考えられてきた従来の技術思想とは異なり、反射表示においては、明るさを犠牲にしても色再現範囲広げる方が観察者は表示を認識しやすい、という新しい技術思想に基づきなされたものである。【０１２９】
本発明においては、透過表示光と反射表示光の双方を観察することになる屋内環境では、透過表示光とそれに近い色の反射表示光を観察することになり、観察者は透過表示光のみとほとんど変わらない彩度の高い表示光を観察することになる。一方、従来の反射表示の明るさを確保したカラーフィルタでは、彩度の高い透過表示光が彩度の低い反射表示光と混色され、透過表示光のみを観察するよりも彩度の低い表示光を観察することになる。【０１３０】
また、本発明においては、反射表示光が支配的になる屋外環境では、透過表示光に近い色の反射表示光を観察することになり、観察者は透過表示光との色の相違を感じることがほとんどない。そして、カラーフィルタの色再現性を広くしていても、光源が太陽光になるので、表示の暗さはあまり感じない。一方、従来の反射表示の明るさを確保したカラーフィルタでは、透過表示光よりも明らかに彩度の低い反射表示光を観察することになる。【０１３１】
また、本発明においては、従来の反射透過型の液晶表示装置よりも色再現範囲の広いカラーフィルタを用いているので、従来よりも色再現範囲の広い透過表示光を得ることができる。【０１３２】
なお、本願は、２００４年６月２３日に出願された日本国特許出願第２００４−１８５２０１号、及び、２００５年３月２３日に出願された日本国特許出願第２００５−０８３４７２号を基礎として、優先権を主張するものである。該出願の内容は、その全体が本願中に参照として組み込まれている。【０１３３】
本願明細書における「以上」、「以下」は、当該数値を含むものである。すなわち、「以上」とは、不少（当該数値及び当該数値以上）を意味するものである。
【図面の簡単な説明】
【０１３４】
【図１】本発明の一実施形態にかかる液晶表示装置の概略構成を示す断面図である。
【図２】フィルタをその面の法線方向に透過する光の色度の測定方法を示す説明図である。なお、図中の点線は、フィルタの面の法線方向を表す。
【図３】透過表示での液晶表示装置からその表示面の法線方向に出射される各原色の光の色度の測定方法を示す説明図である。なお、図中の点線は、液晶表示装置の表示面の法線方向を表す。
【図４】反射表示での液晶表示装置からその表示面の法線方向に出射される各原色の光の色度の測定方法を示す説明図である。なお、図中の点線は、液晶表示装置の表示面の法線方向を表す。また、白抜き矢印は、拡散照射ユニット５２から照射される光を表す。
【図５】実施形態１における反射表示でのコントラスト比と色再現範囲との関係を示すグラフである。
【図６】実施形態１の反射表示でのコントラスト比を３０とした場合における色再現範囲をＸＹＺ表色系色度図上に示す説明図である。
【図７】比較例１における反射表示でのコントラスト比と色再現範囲との関係を示すグラフである。
【図８】比較例１の反射表示でのコントラスト比を３０とした場合における色再現範囲をＸＹＺ表色系色度図上に示す説明図である。
【図９】実施形態２における反射表示でのコントラスト比と色再現範囲との関係を示すグラフである。
【図１０】実施形態２の反射表示でのコントラスト比を３０とした場合における色再現範囲をＸＹＺ表色系色度図上に示す説明図である。
【図１１】実施形態３における反射表示でのコントラスト比と色再現範囲との関係を示すグラフである。
【図１２】実施形態３の反射表示でのコントラスト比を３０とした場合における色再現範囲をＸＹＺ表色系色度図上に示す説明図である。
【図１３】カラーフィルタの色再現範囲と液晶表示装置の色再現範囲比との関係を示すグラフである。
【符号の説明】
【０１３５】
１１  対向基板
１２  画素基板
１３  液晶層
１４  バックライト
１４ａ  バックライト（点灯状態）
１４ｂ  バックライト（非点灯状態）
２１  ガラス基板
２２  位相差板
２３  偏光板
２４  カラーフィルタ
２５  遮光膜
３１  ガラス基板
３２  位相差板
３３  偏光板
３４  反射電極（反射層）
３５  透明電極
３６  樹脂膜
４０  ガラス基板
４１  フィルタ
５０  液晶表示装置
５１  受光器
５２  拡散照射ユニット
ａ  反射領域
ｂ  透過領域
【図１】
0004781268.tif 000002
【図２】
0004781268.tif 000003
【図３】
0004781268.tif 000004
【図４】
0004781268.tif 000005
【図５】
0004781268.tif 000006
【図６】
0004781268.tif 000007
【図７】
0004781268.tif 000008
【図８】
0004781268.tif 000009
【図９】
0004781268.tif 000010
【図１０】
0004781268.tif 000011
【図１１】
0004781268.tif 000012
【図１２】
0004781268.tif 000013
【図１３】
0004781268.tif 000014